(57)【特許請求の範囲】
【請求項１】
化粧対象者の横顔に化粧を施すための化粧方法であって、
前記化粧対象者の平面上に表された横顔から、前記横顔の特定部位を抽出する横顔特定部位抽出手順と、
前記横顔特定部位抽出手順によって得られる複数の横顔特定部位に基づき、前記化粧対象者に対して化粧を施す化粧領域を抽出する化粧領域抽出手順と、
前記化粧領域抽出手順によって抽出された化粧領域に対応する前記化粧対象者の顔面上の領域に対して化粧を施す化粧手順とを有し、
前記化粧領域抽出手順は、
水平を向くように位置付けられた横顔を基準として、
前記横顔の眉山から髪の生え際へ水平に引いた第１の線と、
前記横顔のあご先から首に向かって水平に引いた第２の線と、
前記横顔の鼻先と耳の付け根を水平に引いた直線で結び、結んだ直線の二分の一の地点を基準にして垂直方向に引いた第３の線と、
前記眉山から垂直方向に引いた第４の線とにより囲まれた領域を前記化粧領域として抽出することを特徴とする化粧方法。
【請求項２】
前記化粧領域抽出手順は、
前記第３の線を、前記鼻先から前記あご先に向かって引いた第５の線と前記眉山から前記鼻先に向かって引いた第６の線とが交わる点を頂点として求め、前記頂点から耳に向かって水平方向に第７の線を引いて耳の付け根との交点を求め、前記頂点と前記交点とを結ぶ第７の線を二分の一にした点から垂直方向に引いた直線とし、
前記化粧領域抽出手順は、
前記第１の線と、前記第２の線と、前記第３の線と、前記第４の線とにより囲まれた領域を化粧領域として抽出することを特徴とする請求項１に記載の化粧方法。
【請求項３】
前記化粧手順は、
前記化粧領域に対応する顔面上の領域に化粧する際に、
眉メークについては、眉尻部分を眉頭より下げないようにし、かつ前記化粧領域の第４の線と第３の線の間を平面的に三分割した中央の領域を目安とした長さに対して化粧を施し、チークについては、前記三分割した化粧領域を前記第４の線から三分の二以上の領域に対して化粧を施し、アイメイクについては、所定のアイカラーにより化粧を施し、アイラインについては、目尻を目頭より下げないように化粧を施し、口角については、リップライナーを用いて引き締めるように化粧を施す各部位に対する化粧手順のうち、少なくとも１つの手順を含むことを特徴とする請求項１又は２に記載の化粧方法。
【請求項４】
前記化粧手順は、
前記顔面上の領域に化粧する際に、前記眉メークは、前記中央の領域においてグラデーションによる化粧を施し、前記チークは、前記第４の線から前記三分の二以上の領域においてグラデーションによる化粧を施し、前記アイメイクについては、前記アイカラーと前記アイラインに対してグラデーションによる化粧を施す各部位に対するグラデーション手順のうち、少なくとも１つの手順を含むことを特徴とする請求項３に記載の化粧方法。
【請求項５】
化粧対象者の横顔を撮影した撮影画像を用いて画像上の化粧対象者に化粧を施すための化粧シミュレーション装置であって、
前記撮影画像に含まれる横顔の輪郭を抽出する横顔輪郭抽出手段と、
前記横顔輪郭抽出手段によって抽出された横顔の輪郭を基準として前記横顔の特定部位を抽出する横顔特定部位抽出手段と、
前記横顔特定部位抽出手段により得られる複数の横顔特定部位に基づき、前記画像上の化粧対象者に対して化粧を施す化粧領域を抽出する化粧領域抽出手段と、
前記化粧領域抽出手段により抽出された前記化粧対象者の画像上の化粧領域に対して化粧を施す化粧手段とを有し、
前記化粧領域抽出手段は、
水平を向くように位置付けられた横顔を基準として、
前記横顔の眉山から髪の生え際へ水平に引いた第１の線と、
前記横顔のあご先から首に向かって水平に引いた第２の線と、
前記横顔の鼻先と耳の付け根を水平に引いた直線で結び、結んだ直線の二分の一の地点を基準にして垂直方向に直線を引いた第３の線と、
前記眉山から垂直方向に引いた第４の線とにより囲まれた領域を前記化粧領域として前記化粧対象者の画像から抽出することを特徴とする化粧シミュレーション装置。
【請求項６】
化粧対象者の横顔を撮影した撮影画像を用いて画像上の化粧対象者に化粧を施すための化粧シミュレーションプログラムであって、
コンピュータを、
前記撮影画像に含まれる横顔の輪郭を抽出する横顔輪郭抽出手段、
前記横顔輪郭抽出手段によって抽出された横顔の輪郭を基準として前記横顔の特定部位を抽出する横顔特定部位抽出手段、
前記横顔特定部位抽出手段により得られる複数の横顔特定部位に基づき、前記画像上の化粧対象者に対して化粧を施す化粧領域を抽出する化粧領域抽出手段、及び、
前記化粧領域抽出手段により抽出された前記化粧対象者の画像上の化粧領域に対して化粧を施す化粧手段として機能させ、
前記化粧領域抽出手段は、
水平を向くように位置付けられた横顔を基準として、
前記横顔の眉山から髪の生え際へ水平に引いた第１の線と、
前記横顔のあご先から首に向かって水平に引いた第２の線と、
前記横顔の鼻先と耳の付け根を水平に引いた直線で結び、結んだ直線の二分の一の地点を基準にして垂直方向に直線を引いた第３の線と、
前記眉山から垂直方向に引いた第４の線とにより囲まれた領域を前記化粧領域として前記化粧対象者の画像から抽出することを特徴とする化粧シミュレーションプログラム。
【発明の詳細な説明】
【技術分野】
【０００１】
本発明は、横顔に対してメーキャップ化粧料を施術する化粧方法、化粧シミュレーション装置、及び化粧シミュレーションプログラムに関する。
【背景技術】
【０００２】
美しさを追求するための化粧方法は、メーキャップ化粧料とともに古今東西問わず研究され、さまざまな情報が巷にあふれている。そしてその情報は、雑誌、本、テレビ等の媒体から簡単に入手することができる。眉の書き方であれ、アイメイクの仕方であれ、実に様々な化粧方法を即座に手に入れることができる。
【０００３】
しかしながら、それらの化粧方法はどれも正面から見た場合の、「正面顔」を中心にした化粧方法であって、横から見たときの、あるいは横顔を意識した、特に「横顔」について注目をした化粧方法についての体系化された情報はほとんどないと言っても良い。
【０００４】
しかしながら、２０代〜４０代（各１００サンプル）を対象にした「顔のアングル」についてのインターネット調査において、（１）友人と会話・食事をしているとき、（２）複数の友人と会話・食事をしているとき、（３）勤務中または授業中、（４）レストランやカフェにいるとき、（５）電車やバスに乗っている時、それぞれの場面において、「正面顔」、「斜め顔」、「横顔」のどのアングルをよく目にするかという質問をしたところ図１に示すような結果となった。
【０００５】
図１は、いくつかの場面においてよく目にすると感じている顔のアングル（正面顔、斜め顔、横顔）についての調査結果を示す図である。図１に示すように、友人との会話・食事で、「正面顔」を見ていると感じている人は８８．３％、「横顔」を見ていると感じている人はたったの１．７％であったが、レストランやカフェにいるとき、電車やバスに乗っているときなど、人と多く接するような公共の場に行くほど、「斜め顔」や「横顔」を見ていると感じている人が増えていることがわかる。
【０００６】
例えば、電車やバスに乗っている場合、「正面顔」を見ていると感じている人が１９．７％であるのに対して、「斜め顔」が２６．９％、「横顔」は５３．４％であった。
【０００７】
したがってこの結果から、人とより多く会うような公共の場では、「正面顔」よりも主に「横顔」を見ていると感じている人が多いということがわかる。
【０００８】
一方で、同じインターネット調査において、２０代と４０代を対象に自分自身の顔が最も良く見えると思う（好きな顔）角度はどれかという質問したところ、図２に示すような結果となった。
【０００９】
図２は、２０代と４０代を対象に自分自身の顔についてもっとも良く見える（好きな）顔のアングルについて調査をしたときの調査結果を示す図である。図２に示すように、自分自身の顔が最も良く見える（好きな顔）として、「横顔」であると答えたのは２０代、４０代ともに７．８％しかいなかった。
【００１０】
また、美容技術者１８人に対して、メーキャップ時における「横顔」に対する意識調査を行ったところ、「横顔」について「少し意識している」と答えた人が全体の７２％であり、「かなり意識している」と答えた人は全体の１７％にしかならなかった。
【００１１】
また「どちらともいえない」「あまり意識していない」と答えた人がそれぞれ６％ずつであった。この結果からみると、普段からメークを仕事にしている美容技術者ですら「横顔」に対する意識、「横顔」から見たときの見え方に対する意識が低いことがわかる。
【発明の概要】
【発明が解決しようとする課題】
【００１２】
このように従来の化粧方法は、主に「正面顔」に注目し、正面から見たときに、「正面顔」がどのように見えるかを意識した化粧方法であり、「横顔」がどのように見えるかについては意識をしていたとはいえない化粧方法であった。
【００１３】
そのため、多くの人と会うような公共の場にいくほど、「横顔」をよく見ていると感じているにも関わらず、実際にどのようにしたら「横顔」を美しく見せることができるのかその化粧方法についてはほとんど確立されていなかった。したがって、「正面顔」は美しいにも関わらず、「横顔」については効果的な化粧をしていないという状況であった。
【００１４】
本発明は、上記の点に鑑みてなされたものであり、「横顔」に効果的な化粧を施すことにより、どこから見ても美しい化粧を実現する化粧方法、化粧シミュレーション装置、及び化粧シミュレーションプログラムを提供することを目的とする。
【課題を解決するための手段】
【００１５】
上記の課題を解決するために本発明では、次に述べる各手段を講じたことを特徴とするものである。
【００１６】
本発明は、化粧対象者の横顔に化粧を施すための化粧方法であって、前記化粧対象者の平面上に表された横顔から、前記横顔の特定部位を抽出する横顔特定部位抽出手順と、前記横顔特定部位抽出手順によって得られる複数の横顔特定部位に基づき、前記化粧対象者に対して化粧を施す化粧領域を抽出する化粧領域抽出手順と、前記化粧領域抽出手順によって抽出された化粧領域に対応する前記化粧対象者の顔面上の領域に対して化粧を施す化粧手順とを有し、前記化粧領域抽出手順は、水平を向くように位置付けられた横顔を基準として、前記横顔の眉山から髪の生え際へ水平に引いた第１の線と、前記横顔のあご先から首に向かって水平に引いた第２の線と、前記横顔の鼻先と耳の付け根を水平に引いた直線で結び、結んだ直線の二分の一の地点を基準にして垂直方向に引いた第３の線と、前記眉山から垂直方向に引いた第４の線とにより囲まれた領域を前記化粧領域として抽出する。
【００１７】
また、本発明は、化粧対象者の横顔を撮影した撮影画像を用いて画像上の化粧対象者に化粧を施すための化粧シミュレーション装置であって、前記撮影画像に含まれる横顔の輪郭を抽出する横顔輪郭抽出手段と、前記横顔輪郭抽出手段によって抽出された横顔の輪郭を基準として前記横顔の特定部位を抽出する横顔特定部位抽出手段と、前記横顔特定部位抽出手段により得られる複数の横顔特定部位に基づき、前記画像上の化粧対象者に対して化粧を施す化粧領域を抽出する化粧領域抽出手段と、前記化粧領域抽出手段により抽出された前記化粧対象者の画像上の化粧領域に対して化粧を施す化粧手段とを有し、前記化粧領域抽出手段は、水平を向くように位置付けられた横顔を基準として、前記横顔の眉山から髪の生え際へ水平に引いた第１の線と、前記横顔のあご先から首に向かって水平に引いた第２の線と、前記横顔の鼻先と耳の付け根を水平に引いた直線で結び、結んだ直線の二分の一の地点を基準にして垂直方向に直線を引いた第３の線と、前記眉山から垂直方向に引いた第４の線とにより囲まれた領域を前記化粧領域として前記化粧対象者の画像から抽出する。
【００１８】
また、本発明は、化粧対象者の横顔を撮影した撮影画像を用いて画像上の化粧対象者に化粧を施すための化粧シミュレーションプログラムであって、コンピュータを、前記撮影画像に含まれる横顔の輪郭を抽出する横顔輪郭抽出手段、前記横顔輪郭抽出手段によって抽出された横顔の輪郭を基準として前記横顔の特定部位を抽出する横顔特定部位抽出手段、前記横顔特定部位抽出手段により得られる複数の横顔特定部位に基づき、前記画像上の化粧対象者に対して化粧を施す化粧領域を抽出する化粧領域抽出手段、及び、前記化粧領域抽出手段により抽出された前記化粧対象者の画像上の化粧領域に対して化粧を施す化粧手段として機能させ、前記化粧領域抽出手段は、水平を向くように位置付けられた横顔を基準として、前記横顔の眉山から髪の生え際へ水平に引いた第１の線と、前記横顔のあご先から首に向かって水平に引いた第２の線と、前記横顔の鼻先と耳の付け根を水平に引いた直線で結び、結んだ直線の二分の一の地点を基準にして垂直方向に直線を引いた第３の線と、前記眉山から垂直方向に引いた第４の線とにより囲まれた領域を前記化粧領域として前記化粧対象者の画像から抽出する。
【発明の効果】
【００１９】
本発明によれば、横顔に効果的な化粧を施すことによりどこから見ても美しいメーキャップを実現する化粧方法、化粧シミュレーション装置、及び化粧シミュレーションプログラムを提供することができる。
【図面の簡単な説明】
【００２０】
【図１】いくつかの場面においてよく目にすると感じている顔のアングル（正面顔、斜め顔、横顔）についての調査結果を示す図である。
【図２】２０代と４０代を対象に自分自身の顔についてもっとも良く見える（好きな）顔のアングルについて調査をしたときの調査結果を示す図である。
【図３】美容技術者が美しい横顔として着目した着眼点についての調査結果を示す図である。
【図４】本実施形態の化粧領域を設定する方法について説明する図である。
【図５】本実施形態の化粧領域を設定するため鼻先をより正確に設定する方法について説明する図である。
【図６】本実施形態の化粧領域を設定するために第３の線の基準となる地点を設定する方法について説明する図である。
【図７】顔の３次元形状データを用いて、顔面上に設定した化粧領域と顔の立体感との関係を説明する図である。
【図８】本実施形態の化粧領域における眉尻部分の化粧方法について説明する図である。
【図９】本実施形態の化粧領域におけるアイメイクの化粧方法について説明する図である。
【図１０】本実施形態の化粧領域におけるチークの化粧方法について説明する図である。
【図１１】本実施形態の化粧領域における口角部分の化粧方法について説明する図である。
【図１２】本実施形態の眉尻部分のグラデーション化粧効果を検証した写真パネルを示す図である。
【図１３】本実施形態の眉尻部分の長さについての化粧効果を検証した写真パネルを示す図である。
【図１４】本実施形態のチークの化粧効果について検証した写真パネルを示す図である。
【図１５】化粧効果をレベルＩ〜Ｖまでの段階に分け、本実施形態の化粧効果について検証した写真パネルを示す図（その１）である。
【図１６】化粧効果をレベルＩ〜Ｖまでの段階に分け、本実施形態の化粧効果について検証した写真パネルを示す図（その２）である。
【図１７】図１５の横顔を正面から写した写真パネルを示す図である。
【図１８】図１６の横顔を正面から写した写真パネルを示す図である。
【図１９】図１５と図１７の写真パネルについてそれぞれ美しい横顔、正面顔をアンケート調査した調査結果を示す図である。
【図２０】図１６と図１８の写真パネルについてそれぞれ美しい横顔、正面顔についてアンケート調査した調査結果を示す図である。
【図２１】本実施形態の化粧シミュレーション装置の機能構成の一例を示す図である。
【図２２】本実施形態の化粧シミュレーション処理が実現可能なハードウェア構成の一例を示す図である。
【図２３】本実施形態の化粧シミュレーション処理手順の一例を示すフローチャートである。
【発明を実施するための形態】
【００２１】
本発明は、どこから見ても美しいメーキャップを実現するに際し、「横顔」では、「正面顔」の時には感じなかった、特に顔の「奥行き感」の演出が重要であり、メーキャップで表現できる美しい横顔の「奥行きバランス」があるのではないかとの認識に基づいて創出されたものである。
【００２２】
このことは、以下に示す美しい横顔の着目点、どの横顔にも共通する美しく見せるテクニック、美しい横顔のバランスを探るために、メーク経験６年以上の美容技術者１８人を対象に実施した、横顔と正面顔について写真判定とアンケート結果に示されている。
【００２３】
まず、アンケートの写真判定に使用する写真として、１００名の中から、横顔の特徴から抽出した７タイプ×２名の１４名、正面顔の特徴から抽出した６名の合計２０名のモニターを選定した。そして、この２０名のモニターから、「美しい」と思われる横顔、「美しくない」と思われる横顔の順位とその理由を記載してもらった。
【００２４】
また、抽出した８名のモニターの横顔に対して、美しくメーキャップするためにはどのように化粧をするかについて具体的に記載をしてもらった。
【００２５】
図３は、美容技術者が美しい横顔として着目した着眼点についての調査結果を示す図である。図３に示すように、美容技術者は、美しい横顔（素顔）を選ぶときには、「顔の輪郭」、「あごライン」、「立体感」、「バランス」に着目していることがわかった。
【００２６】
一方、正面顔を選ぶときにも「顔の輪郭」、「あごライン」、「バランス」については着目している美容技術者が多いことがわかったが、「立体感」について着目している美容技術者は一人もいないという結果であった。これは、美しい横顔には、正面顔にはない顔の「奥行き感」の演出が重要であることを示している。
【００２７】
また、アンケートの結果によれば、美しい横顔には「横顔のフォルムバランス」、「顔のパーツの大きさと配置バランス」、「骨格・肉付き感・立体感のバランス」が重要であることもわかった。
【００２８】
本発明では、これらのバランスを考慮し、顔の「奥行き感」を演出するために効果的な化粧方法を行う領域として、以下のような化粧領域を設定した。
【００２９】
この化粧領域の設定は、美容技術者が、直接メークする化粧対象者の横顔にペンシル等をあてながら、大体の目安、感覚で行うことができる。また、美容技術者がメークする相手に対して説明をしながら行うときには、合わせ鏡を使用して相手に横顔が見える状態で設定する方法も可能である。更に、後述するような所定のスケールを用いることによって設定しても良い。
【００３０】
但し、顔は三次元の形状を呈しており、実際に当該化粧領域の設定を行うデパートの化粧品販売コーナーやビューティーサロン等、カウンセリングの現場において、化粧対象者（顧客）の顔に対して直接三次元形状化粧領域を設定するのは困難な場合がある。このように、顔に対して直接三次元的な化粧領域を設定することが困難な場合は、次のような設定方法を用いることも可能である。
【００３１】
即ち、例えばデパートの化粧品販売コーナーやビューティーサロン、カウンセリングの現場等において、デジタルカメラ、携帯電話、或いは後述するようなリアルタイムメーキャップシミュレーター等で、化粧対象者の横顔を撮影し、この撮像画面に基づき化粧領域を設定する方法である。
【００３２】
以下の説明に用いる図面において、化粧領域を表示する必要がある場合には、この撮像画像を図として示し、これに基づき説明するものとする。
【００３３】
以下、具体的な化粧領域の設定方法について説明する。
【００３４】
図４は、本実施形態の化粧領域を設定する方法について説明する図である。図４に示すように、化粧領域２００を設定するときには、まず水平を向くように位置付けられた横顔を基準として、眉山１００から髪の生え際に向かって水平に線を引き、これを線１０（第１の線）とする。ここで眉山１００とは、正面から見たときに、眉頭（眉の始まり）から約三分の二のところ、目尻のコーナーの内側（白目の終りの真上）の眉の位置を示す。
【００３５】
次に、あごの先、または、あごの下から首に向かって水平に線を引き、これを線２０（第２の線）とする。
【００３６】
次に、上記横顔において、鼻先１０１と耳の付け根１０２とを水平に引いた直線で結び、結んだ直線の二分の一の地点１０３を基準にして垂直方向に線を引き、これを線３０（第３の線）とする。また、眉山１００から垂直方向に線を引き、これを線４０（第４の線）とする。
【００３７】
次に、横顔における鼻先１０１をより正確に設定する方法について説明する。図５は、本実施形態の化粧領域を設定するため鼻先をより正確に設定する方法について説明する図である。
【００３８】
図５に示すように、鼻先１０１は、横顔において、例えばＥラインとも呼ばれている、鼻先１０１からあごの先まで引いた直線である線５０（第５の線）と、眉山１００から鼻先１０１に向かって引いた直線である線６０（第６の線）とを用いて設定する。
【００３９】
図５に示すように、鼻先１０１は、線５０と、線６０とが交わる点である頂点を、鼻先１０１として設定する。なお、鼻先１０１は、横を向いたときの鼻の頭を、鼻先１０１として近似しても良い。
【００４０】
また、上述した図４に示す地点１０３は、図６に示すように設定することもできる。図６は、本実施形態の化粧領域を設定するために第３の線の基準となる地点を設定する方法について説明する図である。
【００４１】
図６に示すように、鼻先１０１から水平方向に、耳の付け根１０２、または例えば、顔の終りまで直線をひき、これを線７０（第７の線）とする。次に、線７０が、耳の付け根１０２とが交わる交点を求め、鼻先１０１と交点とを結ぶ線７０を平面的に二分の一にしたところを地点１０３として設定する。なお、地点１０３は、例えば、線７０を平面的に約二分の一から約三分の二にしたところとしても良い。
【００４２】
尚、地点１０３を求める際、実際の店頭等のカウンセリングで化粧対象者の顔に直接化粧領域を設定する場合には、美容技術者が、メークする相手の横顔に定規のようなスケールや、ペンシル等をあて、鼻先から顔の終りまでの長さをおおよそ二分の一にしたところを地点１０３としても良く、この地点１０３にコンシーラーペンシル等を用いて印を付けて目印とすると良い。
【００４３】
図４に示す化粧領域２００は、上記のようにして決定された線１０、線２０、線３０、線４０の４本の線に囲まれた領域として設定される。
【００４４】
実際にメークする際に、前記したようにデジタルカメラ等で撮像した画像に基づき化粧領域２００を設定する場合、上記の各線１０〜４０は、例えば個人個人のほくろや皮膚の特徴等に置き換えて横顔にあてはめ、これにより顔面上に化粧領域２００を設定してもよい。
【００４５】
次に、このように顔面上に設定した化粧領域２００と、顔の立体感との関係について説明する。この化粧領域２００と顔の立体感との関係を求めるため、図７に示すような、顔の３次元形状データを用いた。
【００４６】
図７は、顔の３次元形状データを用いて、顔面上に設定した化粧領域と顔の立体感との関係を説明する図である。図７には、３次元計測装置によって得た化粧対象者の顔の等高線画像が示されている。この化粧対象者の顔は、２０代の女性１５名の３次元顔形状データを平均化したものである。よって、２０代女性の平均的な顔の形状を表しているといえる。
【００４７】
また、この等高線画像は、化粧対象者の顔を三次元画像として入力し、既定の基準位置に対する同一高さを有する点を線分で結んだ画像である。ここでは、等高線の基準平面（ｚ＝0）を右側の顔の目尻、鼻翼の付け根、口角の３点で形成される平面とし、１ｍｍの高さごとに等高線を描画した（図７において黒の線で示す。その他の部分について白の線で示す）。
【００４８】
図７は、上記条件のもと等高線を描画した画像を回転させ、正面、斜め、横のアングルを示し、それぞれに示された等高線画像に化粧領域２００を重ねて表示したものである。図７（ａ）は、化粧領域２００を正面向きの画像（正面顔）上に表したものであり、図７（ｂ）は、化粧領域２００を斜め向きの画像（斜め顔）上に表したものであり、図７（ｃ）は、化粧領域２００を横向きの画像（横顔）上に表したものである。
【００４９】
これによると、化粧領域２００のゾーンの始まりである線４０を引いた部分は、顔の頬骨にあたり、正面顔の図７（ａ）、斜め顔の図７（ｂ）からみると、等高線上で示されるように頬の高い部分となっている。この部分は、顔のちょうど高い部分となっている。そしてこの線４０を境に鼻の側に行くほど等高線の間隔が狭まり傾斜がつく。
【００５０】
また、線４０の反対側は、化粧領域２００の中央領域あたりまでは頬の隆起の高い位置を含み、その中央領域から化粧領域２００のゾーンの終りとなる線３０に行くほど等高線の間隔が密となっている。よって、顔の形状は線４０をほぼ中心に両側に曲面を描いていることがわかる。
【００５１】
また、横顔の図７（ｃ）からみると、線４０から鼻の側に行くと等高線の間隔は急に密となり、反対側の中央領域部分は逆に等高線の間隔が広がり、頬の最も高い部分に及ぶ。そして化粧領域２００の終りのゾーンである線３０から耳の付け根にかけては、等高線の間隔がほぼ一定で徐々に狭まっていることから、連続的な傾斜を描いていることがわかる。
【００５２】
これらのことから、この化粧領域２００は、顔の高低差が形状として表われている部分であることが、３次元形状の計測データからわかる。よって、この化粧領域２００部分を有効にメークすることにより、顔の奥行き感、立体感を効果的に表現できることとなる。
【００５３】
次に、化粧対象者の化粧領域２００において顔の立体を有効にメークし、美しい横顔の奥行きバランスを表現できるメーキャップ化粧方法を示す。
【００５４】
図８は、本実施形態の化粧領域における眉尻部分の化粧方法についての説明図である。まず、図８に示すように、眉尻部分は、眉頭より下げないように化粧を施す。これは実際には合わせ鏡等を使って、正面顔、横顔の両方から確認する。
【００５５】
また、眉尻部分を化粧領域２００の線３０と線４０の間を平面的に三分割した中央の領域３００を目安とした長さとし、グラデーション（ぼけ足）を加える。
【００５６】
具体的には、図８において丸く囲った線Ａで示す眉尻部分の化粧位置Ａにおいて、アイブローペンシル等のメーキャップ化粧料を用いてグラデーションを肌に溶け込み、消えるように施すのが望ましい。これにより立体感と広がりを想像させることができる。
【００５７】
図９は、本実施形態の化粧領域におけるアイメイクの化粧方法についての説明図である。図９に示すように、アイメイクは、化粧領域２００の具体的には図９において丸く囲った線Ｂで示すアイメイクの化粧位置Ｂにおいて、アイカラーのグラデーションをアイシャドー等のメーキャップ化粧料を用いて施す。このグラデーション効果により立体感を出すことができる。また、アイラインは目尻を目頭より下げないように施す。また、肌に溶け込むような目尻のグラデーションを施すのが望ましい。
【００５８】
図１０は、本実施形態の化粧領域におけるチークの化粧方法について説明する図である。図１０に示すように、チーク（頬紅）は、化粧領域２００の図１０において丸く囲った線Ｃで示す化粧位置Ｃにおいて施す。チーク（頬紅）の奥行きは、化粧領域２００をさらに三分割したうちの、ゾーンの始まりである線４０から三分の二以上の領域とし、グラデーションを施す。また、チークによって顔の配置、例えば顔のスペースや全体の、目（眼）、鼻、口、眉等のパーツのバランスを調整する。具体的には、骨格を際立たせ、顔に自然な上昇線を演出するようにチークを施す。グラデーションは、肌に溶け込んでいくように施すのが望ましい。ここで、顔の奥行き感、立体感をプラスするようにする。
【００５９】
図１１は、本実施形態の化粧領域における口角部分の化粧方法について説明する図である。図１１に示すように、口角は、図１１において丸く囲った線Ｄで示す口角の化粧位置Ｄにおいて、リップライナー等のメーキャップ化粧料を用いてすっきりと引き締まったように化粧を施す。
【００６０】
上述した本実施形態による化粧方法による効果について、美容技術者１８人に対して次のようなアンケート調査を行うことにより、評価を行なった。
【００６１】
図１２は、本実施形態の眉尻部分のグラデーション化粧効果を検証した写真パネルを示す図である。図１２に示すように、上記化粧領域２００において行った眉尻の化粧効果を探るために２枚の写真を用意した。
【００６２】
図１２（ａ）は、眉尻部分にグラデーションを入れないものであり、図１２（ｂ）は、眉尻部分にグラデーション効果を加えたものである。アンケートの結果、美容技術者１８人全員が本実施形態における図１２（ｂ）のグラデーションを加えた眉尻の方を美しい横顔として選んだ。
【００６３】
図１３は、本実施形態の眉尻部分の長さについての化粧効果を検証した写真パネルを示す図である。図１３に示すように、眉尻部分の長さを確認するために３枚の写真を用意した。
【００６４】
図１３（ａ）は、眉尻部分の長さを化粧領域２００の終りのゾーンである線３０を越えて施し、図１３（ｂ）は化粧領域２００の始まりのゾーンである線４０までとし、図１３（ｃ）は、本実施形態の化粧領域２００の始まりのゾーンである線４０から中央領域３００を目安とした長さにしたものである。アンケートの結果、１８人全員が本実施形態の眉尻の長さとした図１３（ｃ）を美しい横顔として選んだ。
【００６５】
次に、図１４は、本実施形態のチークの化粧効果について検証した写真パネルを示す図である。図１４に示すように、上記化粧領域２００におけるチークの化粧効果を探るために、３枚の写真を用意した。
【００６６】
図１４（ａ）は、チークを本実施形態の化粧領域２００においてゾーンの始まりである線４０から三分の二以上の領域で施したものであり、図１４（ｂ）は、化粧領域２００の終りのゾーンである線３０を越えて施したものであり、図１４（ｃ）は、化粧領域２００のゾーンの始まりである線４０から中央領域３００に満たない部分までの領域で施したものである。アンケートの結果、図１４（ａ）を選んだのが６１％、図１４（ｂ）を選んだのが６％、図１４（ｃ）を選んだのが３３％であり、本実施形態のチークを施した図１４（ａ）が美しい横顔として選ばれた。
【００６７】
次に、図１５、図１６は、化粧効果をレベルＩ〜Ｖまでの段階に分け、本実施形態の化粧効果について検証した写真パネルを示す図である。図１５、図１６に示すように、レベルＩ〜レベルＶまでメークの段階を分けた写真パネルを用意して、美しい横顔と思われる順番を記入してもらった。
【００６８】
レベルＩは、図１５（ａ）、図１６（ａ）に示すように、眉尻の終わりを化粧領域２００の始まりのゾーンである線４０より長く化粧領域２００を三分割した中央領域３００までは満たないところまでの長さとし、チークも同様に化粧領域２００において中央領域３００に満たない領域まで施したものである。
【００６９】
レベルＩＩは、図１５（ｂ）、図１６（ｂ）に示すように、本実施形態の眉尻の終わりを化粧領域２００の中央領域３００を目安にしたものであり、チークも化粧領域２００の始まりのゾーンである線４０から化粧領域３００の三分の二以上の領域で施し、自然な立体感を出したものである。
【００７０】
レベルＩＩＩは、図１５（ｃ）、図１６（ｃ）に示すように、本実施形態による眉尻の終わりを本実施形態の化粧領域２００の中央領域３００を目安にし、眉尻部分にグラデーション効果を加えたものである。また、レベルＩＩＩは、目尻に対しては、アイラインを目頭より下げないようにし、さらにグラデーション効果を加えたものである。さらに、レベルＩＩＩは、チーク処理として化粧領域２００の始まりのゾーンである線４０から化粧領域２００の三分の二以上の領域でグラデーション効果を加え、さらにハイライトとシェードカラーを施し、立体感を高めたものである。
【００７１】
レベルＩＶは、図１５（ｄ）、図１６（ｄ）に示すように、レベルＩＩＩの眉尻にさらに長さを加え、レベルＩＩＩ以上の長さとしたものである。
【００７２】
レベルＶは、図１５（ｅ）、図１６（ｅ）に示すように、レベルＩＶの眉尻にさらに長さを加え、またチークもレベルＩＩＩ以上の長さを加えて施したものである。
【００７３】
図１７は、図１５の横顔を正面から写した写真パネルを示す図である。また、図１８は、図１６の横顔を正面から写した写真パネルを示す図である。図１７、図１８に示すレベルＩからレベルＶの写真についても美しいと思われる順番を記入してもらった。
【００７４】
図１９は、図１５と図１７の写真パネルについてそれぞれ美しい横顔、正面顔をアンケート調査した調査結果を示す図である。また、図２０は、図１６と図１８の写真パネルについてそれぞれ美しい横顔、正面顔についてアンケート調査した調査結果を示す図である。調査の結果、図１９、図２０に示すように、まず、どちらの写真パネルも、美しい横顔として本実施形態のレベルＩＩが選ばれた。また次に、本実施形態にハイライトとシェードカラーを加えたレベルＩＩＩのものが選ばれた。
【００７５】
このように、本実施形態の横顔が、「美しい横顔」として選ばれていることから、本実施形態の化粧方法により、顔の「奥行きバランス」が表現され、美しい横顔を実現できることが確認された。
【００７６】
また、美しい「正面顔」としても、レベルＩＩとレベルＩＩＩが選ばれたことにより、本実施形態による美しい横顔は、正面から見ても美しいと感じられていることがわかった。
【００７７】
このことから、本願発明の化粧領域２００に上記化粧方法を施すことによって、顔の立体感を有効にメークすることができ、メーキャップの完成度を高める効果があることが確認できた。
【００７８】
また、これらの結果から、上記化粧領域２００を認識し、上記メーキャップ化粧方法を施しているかの化粧効果を確認することにより、美しい横顔が実現できているかの判断基準とすることも可能である。
【００７９】
すなわち実際のデパートの化粧品販売コーナーやビューティーサロン等、カウンセリングの現場において、美容技術者が横顔をメークするとき、また横顔をメークする方法を教授する場合において、上記化粧領域２００を意識し、上記化粧方法を施しているかについて化粧効果を確認することで、美しい横顔がメークできているか、どこから見ても美しいメーキャップが実現されているかどうか判断することが可能となる。
【００８０】
＜化粧シミュレーション装置：機能構成例＞
次に、上述した化粧方法を実現する化粧シミュレーション装置の機能構成例について図を用いて説明する。
【００８１】
図２１は、本実施形態の化粧シミュレーション装置の機能構成の一例を示す図である。図２１に示す化粧シミュレーション装置４００は、入力手段４０１と、出力手段４０２と、蓄積手段４０３と、横顔輪郭抽出手段４０４と、横顔特定部位抽出手段４０５と、化粧領域抽出手段４０６と、化粧手段４０７と、画像生成手段４０８と、制御手段４０９とを有するよう構成されている。
【００８２】
入力手段４０１は、ユーザ等からの横顔輪郭抽出指示や、横顔特定部位抽出指示、化粧領域抽出指示、化粧指示、画面生成指示等の各種指示の開始／終了等の入力を受け付ける。なお、入力手段４０１は、例えばキーボードや、マウス等のポインティングデバイス等からなる。また、入力手段４０１は、デジタルカメラ等の撮像手段等により撮影された被写体（例えば、化粧対象者等）の撮像部分を含む画像を入力する機能も有する。
【００８３】
出力手段４０２は、入力手段４０１により入力された内容や、入力内容に基づいて実行された内容等の表示・出力を行う。なお、出力手段４０２は、ディスプレイやスピーカ等からなる。更に、出力手段４０２としてプリンタ等の機能を有していてもよく、その場合には、横顔輪郭抽出結果、横顔特定部位抽出結果、化粧領域抽出結果、化粧結果等を紙等の印刷媒体に印刷して、ユーザ等に提供することもできる。
【００８４】
なお、入力手段４０１と出力手段４０２とは、例えばタッチパネル等のように一体型の入出力手段であってもよく、この場合にはユーザの指やペン型の入力装置等を用いて所定の位置をタッチして入力を行うことができる。
【００８５】
蓄積手段４０３は、横顔輪郭抽出手段４０４による横顔輪郭抽出結果、横顔特定部位抽出手段４０５による横顔特定部位抽出結果、化粧領域抽出手段４０６による化粧領域抽出結果、化粧手段４０７による化粧結果、画面生成手段４０８における各種画面生成結果等の各種データを蓄積する。また、蓄積手段４０３は、必要に応じて蓄積されている各種データを読み出すことができる。
【００８６】
横顔輪郭抽出手段４０４は、撮影画像から被写体の横顔の輪郭を抽出するための処理として、色変換による背景処理、併せて２値化線画処理を行うとともに、パターンマッチングにより被写体の横顔の輪郭を抽出する。
【００８７】
横顔特定部位抽出手段４０５は、横顔輪郭抽出手段４０４によって撮影画像から抽出された被写体の横顔の輪郭を基準として、標準の横顔マスクとのパターンマッチングにより、被写体における複数の横顔特定部位の領域を特定し、特定した領域から特定部位を抽出する処理を行う。
【００８８】
また、横顔特定部位抽出手段４０５は、例えば撮影画像から抽出した被写体の横顔の輪郭線の形状から、輪郭線のピーク位置を設定し、設定したピーク位置からあごの位置と鼻の位置を特定する。
【００８９】
横顔特定部位抽出手段４０５は、例えば標準の横顔マスクとのパターンマッチングにより、撮影画像における被写体の口の領域を特定して、特定した口の領域から、更に口角の位置を特定する。同様に、横顔特定部位抽出手段４０５は、撮影画像における被写体の眼の領域を特定して、特定した眼の領域から、更に目尻、上まぶたの最上点、下まぶたの最下点を特定する。
【００９０】
また、横顔特定部位抽出手段４０５は、撮影画像における被写体の眉の領域を特定して、特定した眉の領域から、眉山の位置を特定し、撮影画像における被写体の耳の領域を特定して、特定した耳の領域から、更に耳の付け根の位置を特定する。
【００９１】
これにより、横顔特定部位抽出手段４０５は、撮影画像の被写体から眉山、鼻先、耳の付け根等を抽出することが可能となる。なお、上述した横顔特定部位抽出作業は、例えば各特定部位を手動で選択することにより抽出することも可能である。
【００９２】
化粧領域抽出手段４０６は、横顔特定部位抽出手段４０５によって抽出された複数の横顔特定部位に基づき、被写体に対してシミュレーションとして化粧処理を行う化粧領域２００を抽出する抽出処理を行う。
【００９３】
例えば、化粧領域抽出手段４０６は、上述した図４に示したように、撮影画像中の被写体の横顔に対し、水平を向くように位置付けられた横顔を基準として、横顔の眉山１００から髪の生え際へ水平に引いた線１０を引き、被写体の横顔のあご先から首に向かって水平に引いた線２０を引く。また、化粧領域抽出手段４０６は、撮影画像における被写体の横顔の鼻先１０１と耳の付け根１０２を直線で結び、結んだ直線の約二分の一の地点１０３を基準にして、垂直方向に直線を引いた線３０を引き、眉山から垂直方向に引いた線４０を引く。化粧領域抽出手段４０６は、これらの線１０〜線４０とに囲まれた領域を化粧領域２００として抽出する。
【００９４】
化粧手段４０７は、化粧領域抽出手段４０６によって抽出された撮影画像中の被写体の化粧領域２００に対して、公知の方法を用いて、眉メーク処理、口紅処理、チーク処理、シャドウ処理等の化粧処理を行うことにより、上述した化粧方法をシミュレーション装置上にて実現する。
【００９５】
例えば、化粧手段４０７は、眉メーク処理として、撮影画像中の被写体に対して、画像中の眉領域を抽出し、抽出した眉領域に基づいて、眉尻部分を眉頭より下げないようにする眉メーク処理を行う。また、眉尻部分は、抽出した化粧領域２００を構成する線４０と線３０の間を垂直方向に三分割した中央の領域３００を目安とした長さとし、グラデーション（ぼけ足等）を加える等の眉メーク処理を行う。
【００９６】
また、化粧手段４０７は、チーク処理として、撮影画像中の被写体に対して、抽出した化粧領域２００を三分割したうちの、線４０から約三分の二以上の領域に対して、グラデーションを加える等のチーク処理を行う。
【００９７】
また、化粧手段４０７は、シャドウ処理として、撮影画像中の被写体に対して、例えば、画像中の眼の領域を抽出し、抽出した眼の領域に対して所定のアイカラーによってグラデーションを加える等のアイメイク処理を行い、目尻に対しては、目頭より下げないようにし、必要に応じてグラデーションを加える等のアイライン処理を行う。
【００９８】
また、化粧手段４０７は、口角に対する化粧処理として、撮影画像中の被写体に対して、画像中の口元の領域を抽出し、リップライナー等を用いて引き締めるように化粧を施したような処理を行う。
【００９９】
なお、上述した作業は、例えば画面上から化粧処理を行う施術者が各部位を手動で選択することにより処理することもできる。
【０１００】
また、画面生成手段４０８は、ユーザ等からの入力手段４０１による入力指示に基づいて、横顔輪郭抽出手段４０４により得られる横顔輪郭データ、横顔特定部位抽出手段４０５により得られる横顔特定部位データ、化粧領域抽出手段４０６による化粧領域データに基づいて、被写体の化粧領域を表示するための画像データを生成して、出力手段４０２により出力する。また、画面生成手段４０８は、被写体の化粧領域２００を表示するための画像データと、化粧手段４０７により得られる化粧処理データ等、画面生成手段４０８における各種画面生成結果等の各種データ等に基づいて、画像を生成して、出力手段４０２により出力する。
【０１０１】
また、制御手段４０９は、化粧シミュレーション装置４００の各構成部全体の制御を行う。具体的には、制御手段４０９は、例えばユーザ等による入力手段４０１からの指示等に基づいて、横顔輪郭抽出処理、横顔特定部位抽出処理、化粧領域抽出処理、化粧処理、画面生成処理等の各制御を行う。これにより、横顔に効果的な化粧を施しどこから見ても美しいメーキャップを実現した化粧シミュレーションをユーザ等に提示することができる。
【０１０２】
＜化粧シミュレーション装置：ハードウェア構成＞
上述した化粧シミュレーション装置４００においては、各機能をコンピュータに実行させることができる実行プログラム（化粧シミュレーションプログラム）を生成し、例えば汎用のパーソナルコンピュータ、サーバ等にその実行プログラムをインストールすることにより、本発明における化粧シミュレーション処理等を実現することができる。
【０１０３】
ここで、本実施形態における化粧シミュレーション処理が実現可能なコンピュータのハードウェア構成例について図を用いて説明する。図２２は、本実施形態における化粧シミュレーション処理が実現可能なハードウェア構成の一例を示す図である。
【０１０４】
図２２におけるコンピュータ本体には、入力装置４１１と、出力装置４１２と、ドライブ装置４１３と、補助記憶装置４１４と、メモリ装置４１５と、各種制御を行うＣＰＵ（Ｃｅｎｔｒａｌ  Ｐｒｏｃｅｓｓｉｎｇ  Ｕｎｉｔ）４１６と、ネットワーク接続装置４１７とを有するよう構成されており、これらはシステムバスＢで相互に接続されている。
【０１０５】
入力装置４１１は、ユーザ等が操作するキーボード及びマウス等のポインティングデバイスを有しており、ユーザ等からのプログラムの実行等、各種操作信号を入力する。また、入力装置４１１は、カメラ等の撮像手段から撮影された被施術者の横顔部分を含む画像を入力する入力ユニットを有している。
【０１０６】
出力装置４１２は、本発明における処理を行うためのコンピュータ本体を操作するのに必要な各種ウィンドウやデータ等を表示するディスプレイを有し、ＣＰＵ４１６が有する制御プログラムによりプログラムの実行経過や結果等を表示することができる。
【０１０７】
なお、入力装置４１１と出力装置４１２とは、例えばタッチパネル等のように一体型の入出力手段であってもよく、この場合にはユーザの指やペン型の入力装置等を用いて所定の位置をタッチして入力を行うことができる。
【０１０８】
ここで、本発明においてコンピュータ本体にインストールされる実行プログラムは、例えば、ＵＳＢ（Ｕｎｉｖｅｒｓａｌ  Ｓｅｒｉａｌ  Ｂｕｓ）メモリやＣＤ−ＲＯＭ等の可搬型の記録媒体４１８等により提供される。プログラムを記録した記録媒体４１８は、ドライブ装置４１３にセット可能であり、記録媒体４１８に含まれる実行プログラムが、記録媒体４１８からドライブ装置４１３を介して補助記憶装置４１４にインストールされる。
【０１０９】
補助記憶装置４１４は、ハードディスク等のストレージ手段であり、本発明における実行プログラムや、コンピュータに設けられた制御プログラム等を蓄積し必要に応じて入出力を行うことができる。
【０１１０】
メモリ装置４１５は、ＣＰＵ４１６により補助記憶装置４１４から読み出された実行プログラム等を格納する。なお、メモリ装置４１５は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなる。
【０１１１】
ＣＰＵ４１６は、ＯＳ（Ｏｐｅｒａｔｉｎｇ  Ｓｙｓｔｅｍ）等の制御プログラム、及びメモリ装置４１５に格納されている実行プログラムに基づいて、各種演算や各ハードウェア構成部とのデータの入出力等、コンピュータ全体の処理を制御して、化粧シミュレーションにおける各処理を実現することができる。なお、プログラムの実行中に必要な各種情報等は、補助記憶装置４１４から取得することができ、また実行結果等を格納することもできる。
【０１１２】
ネットワーク接続装置４１７は、通信ネットワーク等と接続することにより、実行プログラムを通信ネットワークに接続されている他の端末等から取得したり、プログラムを実行することで得られた実行結果又は本発明における実行プログラム自体を他の端末等に提供することができる。
【０１１３】
上述したようなハードウェア構成により、本発明における化粧シミュレーション処理を実行することができる。また、プログラムをインストールすることにより、汎用のパーソナルコンピュータ等で本発明における化粧シミュレーション処理を容易に実現することができる。
【０１１４】
＜化粧シミュレーション処理手順＞
次に、本実施形態における化粧シミュレーション処理手順について説明する。図２３は、本実施形態における化粧シミュレーション処理手順の一例を示すフローチャートである。
【０１１５】
図２３に示す化粧シミュレーション処理は、入力手段４０１が、カメラ等の撮像手段により撮影され、水平を向くように位置付けられた被写体の横顔を含む画像を読み込む（Ｓ１０）。
【０１１６】
次に、横顔輪郭抽出手段４０４は、読み込んだ画像について、色変換等の背景処理を行い（Ｓ１１）、２値化線画処理を行うとともに、パターンマッチング等により、画像に含まれる被写体の横顔の輪郭を抽出する（Ｓ１２）。
【０１１７】
次に、横顔特定部位抽出手段４０５は、Ｓ１２の処理にて抽出した被写体の横顔の輪郭線の形状から、輪郭線のピーク位置を設定する（Ｓ１３）。次に、設定したピーク位置から、撮影画像における被写体のあごの位置を特定し（Ｓ１４）、撮影画像における被写体の鼻の位置を特定する（Ｓ１５）。
【０１１８】
次に、横顔特定部位抽出手段４０５は、Ｓ１５の処理にて特定した鼻の位置に対して、予め設定された横顔の鼻の位置の特徴量等に基づき、鼻の位置が特定できたか否かを判定する（Ｓ１６）。
【０１１９】
鼻の位置が特定できた場合には（Ｓ１６において、ＹＥＳ）、横顔特定部位抽出手段４０５は、横顔輪郭抽出手段４０４によって撮影画像から抽出された被写体の横顔の輪郭を基準として、標準の横顔マスクとのパターンマッチングにより、撮影画像における被写体の口の領域を特定する（Ｓ１７）。なお、鼻の位置が特定できない場合には（Ｓ１６においてＮＯ）、Ｓ１５の処理に戻る。
【０１２０】
次に、横顔特定部位抽出手段４０５は、Ｓ１７の処理にて特定した口の領域から、撮影画像における被写体の口角の位置を特定する（Ｓ１８）。
【０１２１】
次に、横顔特定部位抽出手段４０５は、同様の方法で、撮影画像における被写体の眼の領域を特定する（Ｓ１９）。次に、横顔特定部位抽出手段４０５は、Ｓ１９の処理にて特定した眼の領域から、撮影画像における被写体の目尻、上まぶたの最上点、下まぶたの最下点を特定する（Ｓ２０）。次に、横顔特定部位抽出手段４０５は、眼の領域が特定できたか否かを判定する（Ｓ２１）。
【０１２２】
眼の領域が特定できた場合には（Ｓ２１において、ＹＥＳ）、横顔特定部位抽出手段４０５は、同様の方法で、撮影画像における被写体の眉の領域を特定する（Ｓ２２）。なお、眼の領域が特定できない場合には（Ｓ２１においてＮＯ）、Ｓ１９の処理に戻る。
【０１２３】
次に、横顔特定部位抽出手段４０５は、Ｓ２２の処理にて特定した眉の領域から、撮影画像における被写体の眉山の位置を特定する（Ｓ２３）。次に、横顔特定部位抽出手段４０５は、眉の領域が特定できたか否かを判定する（Ｓ２４）。
【０１２４】
眉の領域が特定できた場合には（Ｓ２４において、ＹＥＳ）、横顔特定部位抽出手段４０５は、同様に、撮影画像における被写体の耳の領域を特定する（Ｓ２５）。なお、眉の領域が特定できない場合には（Ｓ２４において、ＮＯ）、Ｓ２２の処理に戻る。
【０１２５】
次に、横顔特定部位抽出手段４０５は、Ｓ２５の処理にて特定した耳の領域から、撮影画像における被写体の耳の付け根の位置を特定する（Ｓ２６）。
【０１２６】
次に、化粧領域抽出手段４０６は、特定した複数の横顔特定部位に基づき、撮像画像上の被写体から上述した方法により化粧領域２００を抽出し、抽出した化粧領域２００を撮影画像上の被写体の横顔に表示する（Ｓ２７）。これにより、化粧対象者に対して、被写体の化粧領域２００を、視覚的に具体的に提示することが可能となる。
【０１２７】
次に、化粧手段４０７は、撮影画像上の被写体に対して化粧処理を行う（Ｓ２８）。化粧手段４０７は、公知の方法を用いて、抽出した被写体の撮影画像上の化粧領域２００において、上述した内容の眉メーク処理、チーク処理、シャドウ処理、口紅処理等の化粧処理を行う。
【０１２８】
これにより、化粧領域２００において顔の立体を有効にメークし、美しい横顔の奥行きバランスを表現できる上述したメーキャップ化粧方法を撮影された撮影画像の被写体に対して化粧シミュレーション処理により実現し、化粧対象者に対して、上述したメーキャップ化粧方法の効果を具体的に提示することが可能となる。
【０１２９】
なお、上述の処理において、入力される画像又は各処理により得られた画像は、蓄積手段４０３に入力することができる。また、各処理において、入力される画像や各処理の実行経過や実行結果、ユーザに入力手段４０１により指示を行われる場合等の処理を出力手段４０２を通じて取得するようにしてもよい。
【０１３０】
上述したように、本発明によれば、横顔に効果的な化粧を施すことによりどこから見ても美しいメーキャップを実現する化粧方法、化粧シミュレーション装置、及び化粧シミュレーションプログラムを提供することができる。
【０１３１】
以上本発明の好ましい実施例について詳述したが、本発明は係る特定の実施形態に限定されるものではなく、特許請求の範囲に記載された本発明の要旨の範囲内において、種々の変形、変更が可能である。
【産業上の利用可能性】
【０１３２】
本発明は、ビューティーサロン、デパートの化粧品販売コーナー、メーキャップ教室、美容院等にて行われるメーキャップ化粧方法に利用可能であるので、産業上の利用可能性がある発明である。
【符号の説明】
【０１３３】
１０    第１の線
２０    第２の線
３０    第３の線
４０    第４の線
５０    第５の線
６０    第６の線
７０    第７の線
１００  眉山
１０１  鼻先
１０２  耳の付け根
１０３  地点
２００  化粧領域
３００  中央領域
４００  化粧シミュレーション装置
４０１  入力手段
４０２  出力手段
４０３  蓄積手段
４０４  横顔輪郭抽出手段
４０５  横顔特定部位抽出手段
４０６  化粧領域抽出手段
４０７  化粧手段
４０８  画面生成手段
４０９  制御手段
４１１  入力装置
４１２  出力装置
４１３  ドライブ装置
４１４  補助記憶装置
４１５  メモリ装置
４１６  ＣＰＵ
４１７  ネットワーク接続装置
４１８  記録媒体
【図１】
0005432532.tif 000002
【図２】
0005432532.tif 000003
【図３】
0005432532.tif 000004
【図１９】
0005432532.tif 000005
【図２０】
0005432532.tif 000006
【図２１】
0005432532.tif 000007
【図２２】
0005432532.tif 000008
【図２３】
0005432532.tif 000009
【図４】
0005432532.tif 000010
【図５】
0005432532.tif 000011
【図６】
0005432532.tif 000012
【図７】
0005432532.tif 000013
【図８】
0005432532.tif 000014
【図９】
0005432532.tif 000015
【図１０】
0005432532.tif 000016
【図１１】
0005432532.tif 000017
【図１２】
0005432532.tif 000018
【図１３】
0005432532.tif 000019
【図１４】
0005432532.tif 000020
【図１５】
0005432532.tif 000021
【図１６】
0005432532.tif 000022
【図１７】
0005432532.tif 000023
【図１８】
0005432532.tif 000024